(57)【特許請求の範囲】
【請求項１】
筐体と、
筐体前面の開口部に下側を軸に開閉自在に装着された消火栓扉と、
前記筐体内部に収納したノズル付きホースと、
前記消火栓扉側に設けられ前記ノズルを着脱自在に保持するノズル保持部と
前記筐体に配置した消火栓弁を、前記ノズル保持部に隣接して前記消火栓扉の内側に配置した消火栓弁開閉レバーの操作により遠隔的に開閉する消火栓弁開閉機構と、
を備えた消火栓装置に於いて、
前記ノズル保持部は、
前記ノズルを着脱自在に保持すると共に、前記ノズルを取り付けた際に起立し取り外した際に傾倒するホルダ部材と、
前記ホルダ部材に連結し、前記ホルダ部材の起立位置で前記消火栓弁開閉レバーの動きを抑止し、前記ホルダ部材の傾倒位置で前記消火栓弁開閉レバーの抑止を解除するロック部材と、
を設けたことを特徴とする消火栓装置。
【請求項２】
請求項１記載の消火栓装置に於いて、
前記ロック部材は、前記ホルダ部材に一端を連結し、他端を前記ホルダ部材の起立位置で前記消火栓弁開閉レバーに設けたロック穴に挿入して前記消火栓弁開閉レバーの動きを抑止し、前記ホルダ部材の傾倒位置で前記ロック穴から抜け出して前記消火栓弁開閉レバーの抑止を解除するロックロッド部材であることを特徴とする消火栓装置。
【請求項３】
請求項１記載の消火栓装置に於いて、
前記消火栓弁開閉機構は、前記消火栓弁開閉レバーと、前記消火栓弁開閉レバーの回転動作を前記消火栓弁を開閉させるよう伝達するギア機構を備え、
前記ロック部材は、前記ホルダ部材に一端を連結し、他端を前記ホルダ部材の起立位置で前記ギア機構の回転部材をロックして前記消火栓弁開閉レバーの動きを抑止し、前記ホルダ部材の傾倒位置で前記ギア機構の回転部材のロックを解除して前記消火栓弁開閉レバーの抑止を解除するロックロッド部材であることを特徴とする消火栓装置。
【請求項４】
請求項１又は２記載の消火栓装置に於いて、更に、前記ホルダ部材に保持された前記ノズルの後部を位置決めするノズル受け台を前記消火栓扉内面に設けたことを特徴とする消火栓装置。
【発明の詳細な説明】
【技術分野】
【０００１】
本発明は、消火栓扉を開いてノズル付きホースを引き出して放水する消火栓装置に関する。
【背景技術】
【０００２】
従来、自動車専用道路などのトンネル内には、火災発生時に備えて消火栓装置が設置されている。
【０００３】
図１９は従来の消火栓装置２００の正面図であり、図２０は消火栓装置２００の消火栓扉２０４を開いた状態の内部構造の平面図であり、図２１はその側面図である。消火栓装置２００の筐体２０２の前面の扉開口には消火栓扉２０４と消火器扉２０６が設けられている。
【０００４】
消火栓扉２０４にはハンドルが設けられ、ハンドルを手前に引くことでロックを解除し、消火栓扉２０４の下側を回転軸に前方に開放することができる。また消火栓扉２０４と筐体２０２との間には緩衝用ダンパ２０８を設けて接続され、消火栓扉２０４を滑らかに開放できるようにしている。
【０００５】
筐体２０２のホース収納部にはホースバケット構造として、Ｕ字形に形成したフレームパイプ２１５が開口側に配置されている。フレームパイプ２１５の両側にはホースバケット２１６が取り付けられ、内部にホース収納空間を形成し、先端にノズル２１０を装着したホース２１２を筐体内のホースバケット２１６に内巻きして収納している。
【０００６】
ホース２１２はホースバケット２１６の側面板に開口した孔を通してホースバケット２１６内に収納される。その孔には、ホース２１２を引き出したときに、ホース２１２が擦れてホース表面が傷付くことを防ぐために、ホース２１２は保護管２１２ａの中を通ってホースバケット２１６内に入る。
【０００７】
このような消火栓装置２００は火災を伴う車両事故の発生時に、消火栓扉２０４を開いてノズル２１０付きのホース２１２を引き出し、扉内に設けている消火栓弁開閉レバー２１４を操作することで消火栓弁２２０を開き、同時に図示しないポンプ起動スイッチがレバー開位置でオンし、消火ポンプ設備を起動して放水を行うことができる。
【０００８】
また消火栓扉２０４の内側に逆Ｕ字型のパイプフレームなどを用いたホースガイド２２２を設け、ホース２１２が消火栓弁開閉レバー２１４や操作案内板などの部材に引っかかることを防ぐためホースガイド２２２を通してホース２１２を引き出すようにしている。
【０００９】
更に消火栓開閉レバー２１４の横にはレバーガード２１８が配置され、手前の開位置に操作した消火栓弁開閉レバー２１４に引き出したホース２１２が当たって閉位置に戻ってしまうことを防止している。
【００１０】
消火栓扉２０４の内側には図２０及び図２１に示すように凹部２２４が形成され、凹部２２４にノズル保持部２２５を取付け、凹部２２４から上方に突出したノズル保持部の先端にノズル２１０を着脱自在に保持している。
【先行技術文献】
【特許文献】
【００１１】
【特許文献１】特開２００６−００６３７６号公報
【発明の概要】
【発明が解決しようとする課題】
【００１２】
しかしながら、このような従来の消火栓装置にあっては、消火栓扉の内側に形成した凹部２２４にノズル保持部２２５を配置していたため、ノズル保持部２２５からノズル２１０を取り出してホース２１２を引き出す際、あるいは放水位置を変えるためにホースを左右に移動する際に、凹部２２４から上方に飛び出しているノズル保持部２２５にホースが当たった場合、ホース２１２を傷付けたり、ホース２１２が引っかかってしまう可能性がある。
【００１３】
このようなことを防ぐために、図２０に示したように、消火栓扉の内側にホースガイド２２２を設け、更に、消火栓弁開閉レバー２１４の横にレバーガード２１８を配置し、ホース２１２を右横方向に引き出すときにホース２１２が当たってレバーが戻ってしまうことを防止したり、ノズル保持部２２５にホースが当たらないようにしているが、そのためにホースガイド２２２など部品点数が増える。
【００１４】
またホース収納空間の中央部に、消火栓扉を閉めた際のホースガイド２２２を収容できる空間を設ける必要がありホース収容部が大きくなる。さらにホース収容部にホースを収納するときに、ホースガイド用の収容部を確保するように気を遣ってホースを収容する必要があった。
【００１５】
また従来の消火栓開閉レバー２１４はノズル保持部２２５にノズル２１０を保持した状態であっても開閉操作を行うことが可能であり、車両火災といった緊急時には操作手順を誤ってノズル２１０を取り出す前に消火栓弁開閉レバー２１４を開操作することも予想され、このような誤った手順の操作を行うとノズル保持部２２５に保持しているノズル２１０から消火用水が放水され、放水操作を混乱させる問題がある。
【００１６】
本発明は、ホースを引き出す際のノズル保持部からのノズル取出しと消火栓弁開閉レバーの操作を連携させて誤操作を防止する消火栓装置を提供することを目的とする。
【課題を解決するための手段】
【００１７】
本発明は、
筐体と、
筐体前面の開口部に下側を軸に開閉自在に装着された消火栓扉と、
筐体内部に収納したノズル付きホースと、
消火栓扉側に設けられ前記ノズルを着脱自在に保持するノズル保持部と
筐体に配置した消火栓弁を、ノズル保持部に隣接して消火栓扉の内側に配置した消火栓弁開閉レバーの操作により遠隔的に開閉する消火栓弁開閉機構と、
を備えた消火栓装置に於いて、
ノズル保持部は、
ノズルを着脱自在に保持すると共に、ノズルを取り付けた際に起立し取り外した際に傾倒するホルダ部材と、
ホルダ部材に連結し、ホルダ部材の起立位置で消火栓弁開閉レバーの動きを抑止し、ホルダ部材の傾倒位置で消火栓弁開閉レバーの抑止を解除するロック部材と、
を設けたことを特徴とする。
【００１８】
ここで、ロック部材は、ホルダ部材に一端を連結し、他端をホルダ部材の起立位置で消火栓弁開閉レバーに設けたロック穴に挿入して消火栓弁開閉レバーの動きを抑止し、ホルダ部材の傾倒位置でロック穴から抜け出して消火栓弁開閉レバーの抑止を解除するロックロッド部材とする。
【００１９】
また、消火栓弁開閉機構は、消火栓弁開閉レバーと、消火栓弁開閉レバーの回転動作を消火栓弁を開閉させるよう伝達するギア機構を備え、
ロック部材は、ホルダ部材に一端を連結し、他端をホルダ部材の起立位置でギア機構の回転部材をロックして消火栓弁開閉レバーの動きを抑止し、ホルダ部材の傾倒位置でギア機構の回転部材のロックを解除して消火栓弁開閉レバーの抑止を解除するロックロッド部材である。
【００２０】
また、本発明の消火栓装置は、更に、ホルダ部材に保持されたノズルの後部を位置決めするノズル受け台を消火栓扉内面に設ける。
【発明の効果】
【００２１】
本発明によれば、消火栓扉内側に設けられたノズル保持部の回動可能なホルダ部材は起立した状態でノズルを保持しており、消火栓扉を開いてノズルを取り出した場合、起立していたホルダ部材は扉内面に回動して倒れ、ホルダ部材が倒れることで扉内面に対する高さが低くなり、筐体から引き出したホースは倒れて低くなったホルダ部材に当ることがなく、ホースの傷付きを確実に防止し、ホースの引き出し作業に悪影響を及ぼすことを防止することができる。
【００２２】
またホルダ部材はノズルを保持している起立位置で、消火栓弁開閉レバーの開閉操作を抑止しており、ホルダ部材からノズルを取り外して扉内面側に倒すと抑止解除したことで、ノズルの保持状態で消火栓弁開閉レバーを開操作しようとしても動かず、操作手順を間違えてノズルを消火栓扉に保持したまま放水を開始してしまい、誤操作による操作者の混乱や消火作業の遅れを防止できる。
【図面の簡単な説明】
【００２３】
【図１】本発明による消火栓装置の実施形態を正面から示した説明図
【図２】図１について消火栓扉を外して内部構造を示した正面図
【図３】図１について消火栓扉側を開いた状態を示した正面図
【図４】図１について消火栓扉を開いた状態でホース収納空間の構造を示した右側面図
【図５】図３の消火栓扉内側に設けた消火栓弁操作部の内部構造を平面で示した説明図
【図６】図５の消火栓弁操作部の内部構造を側面断面で示した説明図
【図７】消火栓扉内面に設けたノズル保持部の実施形態を示した説明図
【図８】図７のノズル保持部からノズルを取り出した状態を示した説明図
【図９】図７のホルダ部材が起立状態にあるノズル保持部を取り出して示した説明図
【図１０】図７のホルダ部材が倒れた状態にあるノズル保持部を取り出して示した説明図
【図１１】本発明のノズル保持部に使用する蝶番を取り出して示した説明図
【図１２】本発明のノズル保持部に隣接して配置されるノズル受け台を取り出して示した説明図
【図１３】ホルダ部材を起立した場合の消火栓弁開閉レバーのロック状態を平面で示した説明図
【図１４】ホルダ部材を倒した場合の消火栓弁開閉レバーのロック解除状態を平面で示した説明図
【図１５】ホルダ部材を起立した場合の消火栓弁開閉レバーのロック状態を側面で示した説明図
【図１６】ホルダ部材を倒した場合の消火栓弁開閉レバーのロック解除状態を側面で示した説明図
【図１７】ホルダ部材を起立した場合にプーリーをロックする本発明の他の実施形態を平面で示した説明図
【図１８】図１７の実施形態についてホルダ部材を倒してプーリーのロックを解除した状態を平面で示した説明図
【図１９】従来の消火栓装置の扉を外して内部構造を示した正面図
【図２０】従来の消火栓装置の扉を開放して内部構造を示した平面図
【図２１】従来の消火栓装置の扉を開放して内部構造を示した側面図
【発明を実施するための形態】
【００２４】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１，１２−２に対し必要な機器及び部材を組付けた後に側面同士を連結固定した状態とし、この状態でトンネル現場に搬入して架台１１上に設置している。
【００２５】
化粧板１４−１，１４−２には扉開口部１６，１７が設けられている。筐体１２−１の扉開口部１６には、消火栓扉１８と保守扉２２が設けられており、その内部がホース収納空間及びバルブ類収納空間となっている。
【００２６】
消火栓扉１８は、扉開口部１６に対し下側の回動軸２１を中心に下向きに開閉自在に設けられており、マグネットと受け板を用いたロック機構により閉止位置に閉じている。消火栓扉１８は、ハンドル２０を手前に引いてロック機構の磁気吸着ロックを外すことで前方に開閉することができる。
【００２７】
扉開口部１６は内部のホース収納空間に形成されたホース取出口に相対して筐体全部の略中央に形成され、扉下部の回動軸２１による消火栓扉１８の軸支による回動支持で下向きに開放した場合、消火栓扉１８は斜め下向きの開放位置に開放される。
【００２８】
消火栓扉１８の上には上部に回動軸２３を有し前向きに開閉する保守扉２２が設けられており、マグネットと受け板を用いたロック機構により磁気吸着により閉止位置に保持されており、点検時に消火栓扉１８を開放した後に保守扉２２の下端を手前に引くことで上方に開くことができる。
【００２９】
筐体１２−２の扉開口部１７の右側には通報装置扉２４が設けられ、ここに赤色表示灯２６、発信機２８、及び応答ランプ３０を設けている。なお、通報装置扉２４の内側には図２に示すように電話ジャック３１を設けている。
【００３０】
赤色表示灯２６は常時点灯し、消火栓装置１０の設置場所が遠方から分かるようにしている。火災時には、発信機２８を押すと、発信信号が監視室の火災受信機に送信されて火災警報が出され、これに伴い応答信号が火災受信機から送られて、応答ランプ３０を点灯するようにしている。
【００３１】
扉開口部１７の左側には消火器扉３２が設けられ、消火器扉３２に対応した筐体１２−２の内部を消火器収納空間とし、例えば２本の消火器を収納している。消火器扉３２にはハンドル３４が設けられ、ハンドル３４を手前に引くとマグネットによるロックが外れ、消火器扉３２は左側を回動軸として前方に開くことができる。また、消火器扉３２の下側には覗き窓３５が設けられ、外部から消火器の収納状態の有無を確認できるようにしている。
【００３２】
図２は図１の実施形態について筐体１２−１側の消火栓扉を外し、保守扉２２は上向きに開いてステー２７で開状態に支持した状態で内部構造を示した正面図である。
【００３３】
図２において、保守扉２２は、消火栓装置の保守以外には通常閉じられており、消火作業時も閉められたままで消火栓扉１８のみ開放される。消火栓扉１８と保守扉２２が閉じる筐体１２−１の扉開口部１６の両側には、扉側の受け板を吸着保持するロック機構のマグネット６８ａ，６９ａが配置される。
【００３４】
筐体１２−１の左側にはホース収納空間３６が形成され、右側にバルブ類収納空間３８を形成している。ホース収納空間３６には、その周囲を囲んでホース４４を押えるホースバケット構造４０が設けられている。
【００３５】
ホースバケット構造４０は、横２本、縦２本のフレームの組み合わせており、扉開口部１６の左右方向における略中央となる位置にホース取出口４２を仕切り形成している。ホース取出口４２の下側には張出ホースガイド４６が設けられ、ホース４４を左方向に引き出す際の急激な折れ曲がりを緩和して滑らかな引き出しを可能とする。
【００３６】
ホースバケット構造４０及び筐体内壁で囲まれたホース収納空間３６にはホース４４が内巻きして収納されている。ここで、右側のバルブ類収納空間３８の下部にはホース接続口４８が配置されており、ホース接続口４８にホース４４の１次側を接続した後、ホース４４をホース収納空間３６に巻き込むことになるが、この場合のホース４４の巻き込みは、扉開口部１６から見て右巻きとなるように巻き込んでいる。
【００３７】
即ち、ホース接続口４８に接続したホース４４は、まず筐体１２−１の下側内壁に沿うようにホース収納空間３６方向に向かい、ホース収納空間３６の下側から巻き込まれ、その後に、右回りに収納空間内に巻き込まれ、最後にノズルを装着したホース先端を扉開口部１６の中央付近に形成されたホース取出口４２から取り出している。
【００３８】
このようにホース巻き込み開始部分は右巻きによりホース収納空間３６の下側に送りこまれるため、巻き込み開始部分のホース４４がホースバケット構造４０のフレームに当って摺動するようなことはなく、図１２の従来のホース左巻きによりホースバケット構造に当って摺動することに対する保護の必要がなく、構造を簡単にしている。
【００３９】
筐体１２−１に設けたホース収納空間３６の右側に配置したバルブ類収納空間３８には、ポンプ設備からの配管が接続される消火栓接続口５０からホース接続口４８に至る配管系統に、給水弁５２、消火栓弁５４および自動排水弁（図示せず）などを設けている。このうち消火栓弁５４の横には機器ボックス６０が配置され、消火栓扉の内側に配置される消火栓弁開閉レバーにより遠隔的に消火栓弁５４を開閉操作できるようにしている。
【００４０】
また給水弁５２の手前にはポンプ起動スイッチ６２が配置される。給水弁５２及びポンプ起動スイッチ６２は消防隊が消火時に操作する機器であり、消火栓扉１８を開いても保守扉２２により隠されており、消火栓装置を操作しようとするユーザに見せないことで、不要な混乱を起させないようにしている。
【００４１】
図３は図１の消火栓装置１０における消火栓扉１８を開いた状態を示した正面図である。図１の消火栓扉１８に設けたハンドル２０を手前に引いてロックを外すと、消火栓扉１８は斜め下向きとなる位置に開放する。消火栓扉１８の内側には消火栓弁開閉レバー６４を備えた操作ボックス７６が配置される。また消火栓扉１８の内部左側のノズル保持部７０にはホース先端に装着したノズル４５が着脱自在に保持され、ノズル４５の後部はノズル受け台７２により位置決めされている。
【００４２】
図４は図１について筐体の内部構造を示した右側面図であり、消火栓扉１８及び保守扉２２を開いた状態で示している。消火栓扉１８は斜め下向きに開放し、扉内側には操作ボックス７６が配置され、操作ボックス７６の横に消火栓弁開閉レバー６４を垂直回りに回動操作可能に設け、消火栓弁５４を遠隔操作により開閉するようにしている。
【００４３】
消火栓弁開閉レバー６４は図示の後方に回動した位置を閉位置とし、前方の想像線で示す消火栓弁開閉レバー６４ａの位置が開位置となる。消火栓扉１８を斜め下向きに開放することで、ホース４４を引き出した際にホース４４が消火栓開閉レバー６４に接触しづらくなり、ホース４４の移動で消火栓開閉レバー６４が誤って開閉が切り替わることを防いでいる。
【００４４】
操作ボックス７６の後方からはワイヤーチューブ８８，９０が引き出され、その中にワイヤーケーブル８２，８４を移動自在に通している。ワイヤーケーブル８２，８４は消火栓弁５４の弁軸に設けた機器ボックス６０内のプーリー６３に連結されると共に操作ボックス７６内に設けた後の説明で明らかにするプーリーと連結されて遠隔操作を行う消火栓弁開閉機構を構成している。
【００４５】
このような消火栓弁開閉機構により、消火栓弁開閉レバー６４を図示の閉位置から想像線で示す消火栓弁開閉レバー６４ａで示す開位置に操作すると、操作ボックス７６内のプーリーが一体に回転し、これに伴いワイヤーケーブル８２，８４を介してプーリー６３が回転し、消火栓弁５４を閉位置から開位置に操作することができる。
【００４６】
図５は図３の消火栓扉内側に設けた消火栓弁操作部の内部構造を平面で示した説明図であり、図３の操作ボックスの上カバーを外した状態で示している。
【００４７】
図５において、操作ボックス７６は外カバー７６ａの中に内カバー７６ｂを配置し、内カバー７６ｂの軸受９８に対し駆動軸９６を回動自在に装着しており、駆動軸９６の右端は外カバー７６ａ内に位置するが、駆動軸９６の左端は外カバー７６ａを貫通して外側に取り出され、そこにハンドル７８を備えた消火栓弁開閉レバー６４の基部を固定している。
【００４８】
本実施形態において、消火栓弁開閉レバー６４及び操作ボックス７６に対してはノズル保持部７０側に設けた後の説明で明らかにするロックロッド部材１３４の先端がノズル保持状態で挿入され、消火栓弁開閉レバー６４を図示の閉位置にロックしている。
【００４９】
また内カバー７６ｂには垂直軸により扉面と平行な水平回りに回動自在にプーリー９６を配置している。プーリー１０８はギア機構を介して駆動軸９６に連結されており、消火栓弁開閉レバー６４の垂直回りの操作による駆動軸９６の垂直回りの回転を、ギア機構を介してプーリー１０８に伝達し、プーリー１０８を水平回りに回転可能としている。
【００５０】
ギア機構は、第１ねじ歯車１０２、アイドルねじ歯車１１４及び第２ねじ歯車１０４で構成される。第１ねじ歯車１０２は駆動軸９６に設けられ垂直周りに回動する。第２ねじ歯車１０４は上側にプーリー１０８を同軸に固定している。第１ねじ歯車１０２と第２ねじ歯車１０４の間にはアイドルねじ歯車１１４が配置され、第１ねじ歯車１０２からプーリー１０８を遠避けて干渉しない位置に配置している。
【００５１】
ギア機構を構成する第１ねじ歯車１０２、アイドルねじ歯車１１４及び第２ねじ歯車１０４の歯数はそれぞれ同一であり、消火栓開閉レバー６４の回転角に応じた回転がそのまま第２ねじ歯車１０４に伝達されてプーリー１０８を回転することになる。なお、第１ねじ歯車１０２と第２ねじ歯車１０４の歯数を同一とし、アイドルねじ歯車１１４の歯数を異ならせることで、増速または減速した回転をプーリー１０８に伝達することもできる。
【００５２】
プーリー１０８には図４に示した消火栓弁５４の操作軸に設けたプーリー６３に連結したワイヤーケーブル８２，８４が内カバー７６ｂの後端にコネクタ部材１１０，１１２で固定したワイヤーチューブ８８，９０を通して連結されており、消火栓弁５４を開閉操作する遠隔開閉機構を構成している。
【００５３】
図６は図５の消火栓弁操作部の内部構造を側面断面で示した説明図であり、水平方向に配置した駆動軸９６の第１ねじ歯車１０２に対し、アイドルねじ歯車１１４はオフセットして直交配置した垂直軸１１６に装着されており、更にアイドルねじ歯車１１４に対し、第２ねじ歯車１０４がオフセットした垂直軸１０６に装着されており、第２ねじ歯車１０４の上部にプーリー１０８を固定している。なお、第２ねじ歯車１０４とプーリー１０８は一体に形成しても良い。
【００５４】
ギア機構を構成する第１ねじ歯車１０２は駆動軸９６に固定され、消火栓弁開閉レバー６４の操作により駆動軸９６を介して垂直周りに回転される。第１ねじ歯車１０２に対しアイドルねじ歯車１１４はオフセットした位置に設けた垂直軸１１６に水平回りに回転自在に装着されて噛み合っており、更に、アイドルねじ歯車１１４にはオフセットした位置に設けた垂直軸１０６に水平回りに回転自在に設けた第２ねじ歯車１０４が噛み合っている。第１ねじ歯車１０２の垂直回りの回転は、アイドルねじ歯車１１４により水平回りの回転に変換され、更に第２ねじ歯車１０４に水平回りの回転として伝達され、第２ねじ歯車１０４により同軸に固定したプーリー１０８を水平回りに回転する。
【００５５】
このように駆動軸９６の第１ねじ歯車１０２と、プーリー１０８を固定した第２ねじ歯車１０４との間にアイドルねじ歯車１１４を介在させることで、第２ねじ歯車１０４に固定したプーリー１０８を扉奥行き方向（図で右側）に離すことができ、第１ねじ歯車１０２とプーリー１０８が干渉しない配置とすることができる。
【００５６】
このようなギア機構により、消火栓扉１８の内側に配置した操作ボックス７６の飛び出し量を更に低減してより薄型化し、消火栓扉１８を閉鎖した場合の筐体側に確保しなければならないスペースを低減し、筐体内に対する機器設置スペースの制約を抑制でき、併せてホースを外部に引き出す際に操作ボックス７６に当たって干渉することを防止できる。
【００５７】
図７は消火栓扉内面に設けたノズル保持部の実施形態を示した説明図である。図７において、消火栓扉１８の扉内面の右側には消火栓弁開閉レバー６４を設けた操作ボックス７６が配置され、その左側の扉内面にノズル保持部７０とノズル受け台７２を配置し、ホース４４の先端に装着したノズル４５を着脱自在に保持している。
【００５８】
ノズル４５は筒状のノズル本体４５ａの略中央にグリップ４５ｂを設けており、グリップ４５ｂの右側となる先端側をノズル保持部７０に保持し、グリップ４５ｂの左側となる後端側をノズル受け台７２に載せて位置決めしている。
【００５９】
ノズル保持部７０側からは消火栓弁開閉レバー６４及び操作ボックス７６に対しロックロッド部材１３４の先端が挿入され、ノズル４６の装着状態で消火栓弁開閉レバー６４の動きをロックしている。
【００６０】
図８は図７のノズル保持部７０からノズル４５を取り外した状態であり、ノズル保持部７０は後の説明で詳細に説明するように、扉内面に固定する取付部材１２４に対しバネ部材付きの蝶番１２２を介して先端が二股に分かれたホルダ部材１２０を傾倒自在に設けており、図７のノズル４５の保持状態ではホルダ部材１２０は起立しているが、図８のようにノズル４５を取り外すと、ホルダ部材１２０はバネ部材により蝶番１２２が開くことで、扉内面に倒されて高さを低くするようにしている。
【００６１】
またホルダ部材１２０にはロックロッド部材１３４が連結されており、ホルダ部材１２０がノズル後方側に倒れると、ロックロッド部材１３４の先端を消火栓弁開閉レバー６４から引き抜いてロックを解除し、消火栓弁開閉レバー６４を操作可能とする。
【００６２】
図９は図７のホルダ部材が起立状態にあるノズル保持部を取り出して示した説明図であり、図９（Ａ）は消火栓装置の側面側からみた図であり、図９（Ｂ）は図９（Ａ）の側面図であり、開放した消火栓扉の前方縁部側から見た図である。
【００６３】
図９において、ノズル保持部７０は、消火栓扉の扉内面１８ａに固定する取付部材１２４に対し蝶番１２２を介してホルダ部材１２０を傾倒自在に配置している。ホルダ部材１２０は図７に示すようにノズル４５を保持した状態にあっては、筐体内から引き出されたホース４４によりノズル４５が先端方向に押されており、このため図９に示すように、蝶番１２２が閉じることでホルダ部材１２０を起立状態に支持している。
【００６４】
これに対し図１０（Ａ）（Ｂ）に示すように、ノズル保持部７０からノズル４５を取り外すと、蝶番１２２の軸ピンの部分に配置しているバネ部材により蝶番１２２がノズル受け台７２側に開き、起立していたホルダ部材１２０を扉内面１８ａと略平行となるように倒し、その結果、ホルダ部材１２０の扉内面１８ａからの飛び出し量は、起立状態におけるホルダ部材１２０の横幅となる低い位置に抑えられる。
【００６５】
このためノズル４５を取り外してホースを外部に引き出す場合、図１０のように倒れたホルダ部材１２０はその横に配置している操作ボックス７６と同程度の低い位置となり、筐体から引き出したホースは倒れて低くなったホルダ部材に当ることがなく、ホースの傷付きを確実に防止し、ホースの引き出し作業に悪影響を及ぼすことを防止することができる。
【００６６】
またホルダ部材１２０の側面には軸受部１３６が設けられ、軸受部１３６に対しロックロッド部材１３４の端部を軸ピン１３８により回動自在に軸支しており、図９のホルダ部材１２０の起立状態ではロックロッド部材１３４の先端を消火栓弁開閉レバー側のロック穴に押し込んでロックしており、図１０のようにホルダ部材１２０が倒れると、軸ピン１３８も蝶番１２２により回動することで、ロックロッド部材を消火栓弁開閉レバー側のロック穴から抜いてロックを解除する。
【００６７】
図１１はノズル保持部に設けた蝶番を取り出した説明図であり、図１１（Ａ）に平面を、図１１（Ｂ）に側面を示す。図１１において、蝶番１２２は一対の取付片１２６，１２８を軸ピン１３０により開閉自在に設けており、軸ピン１３０の中央部にはコイル状のバネ部材１３２が配置され、取付片１２６，１２８を開く方向に付勢している。蝶番１２２の取付片１２６は扉内面側、具体的には図９に示したように、扉内面１８ａに固定した取付部材１２４にビスなどにより固定され、反対側の取付片１２８はホルダ部材１２０の底部をビスなどにより固定している。
【００６８】
蝶番１２２はフリー状態では図１１（Ｂ）に示すように、軸ピン１３０の両側に取付片１２６，１２８が位置する開いた状態にあるが、図９に示したホルダ部材１２０の起立状態では取付片１２６ａに示すように閉じた位置にあり、また図１０に示したノズル４５を取り出した状態では、取付片１２６ｂで示す位置に開いてホルダ部材１２０を扉内面１８ａに倒すようになる。なお、蝶番１２２のバネ部材１３２の強さは、ノズル４５がノズル保持部材に取り付けられている時は起立を維持し、ノズル４５が外れた時にのみノズル保持部材が倒れるように設定する。
【００６９】
図１２はノズル保持部に隣接して配置されるノズル受け台を取り出して示した説明図であり、図１２（Ａ）に平面を、図１２（Ｂ）に正面を示している。図１２において、ノズル受け台７２は円弧状に窪んだ受け部７２ａの両側に取付部７２ｂを一体に屈曲形成しており、図７に示したように、ノズル保持部７０にノズル４５を保持した状態でノズル４５の後部のホース接続部４５ｃを受け部７２ａの円弧状の窪みに位置させ、ホース４４から応力を受けてもノズル４５の後部が横に振れることなく、ノズル保持部７０の軸中心線方向に位置決め保持できるようにしている。
【００７０】
またノズル受け台７２は図１２（Ｂ）に示すように、ノズル４５を扉内面１８ａより浮かした位置に保持した状態としており、扉内面１８ａとノズル４５の間に隙間を形成し、ここに指を入れる空間を確保してハンドルなど握りやすくしている。更に、ノズル受け台７２の高さは、図１０（Ａ）に示すように、ノズル保持部１２０が倒れた場合の高さよりも低くなるように設定している。
【００７１】
再び図８を参照するに、ノズル４５を取り外した場合、本実施形態にあっては、蝶番１２２のバネ部材１３２によりホルダ部材１２０を左側、即ちノズル後方側に倒すように付勢している。一方、図７に示すノズル４５の保持状態では、ホース４４によりノズル４５は右方向に押す力を受けており、このためホルダ部材１２０は蝶番１２２を閉じる方向（起立する方向）に押されて起立状態を維持することができる。なお、ノズル受け台７２の端部にノズル４５の後部が当接する部材を追加して、ノズル４５が取り付けられた状態でノズル保持７０のバネ部材１３２のバネ力によりノズル４５が後方側にずれるのを防ぐようにしても良い。
【００７２】
また図７に示すように、ノズル保持部７０は、ノズル４５におけるグリップ４５ｂの右側となるノズル本体４５ａの先端側をホルダ部材１２０に保持している。これに対しノズル４５におけるグリップ４５ｂの左側となるノズル本体４５ａの後端側をホルダ部材１２０に保持させようとすると、ノズル本体４５ａの先端が操作ボックス７６に当り、保持させることができない。
【００７３】
即ち、本実施形態にあっては、ホルダ部材１２０に対しノズル４５のグリップ先端側は保持可能とするが、グリップ後端側は保持できないように、操作ボックス７６に対するホルダ部材１２０の配置位置を決めおり、予定したノズル４５の位置を確実に保持可能としている。
【００７４】
また、図８に示したように、ノズル保持部７０の傾倒方向を消火栓扉１８の横方向（消火栓扉の回動軸線方向で、消火栓扉の開閉方向とは垂直の方向）に倒れるようにしている。これは、もしノズル保持部７０を消火栓扉１８の開閉方向に倒れるように設定すると、消火栓扉１８の開け閉めの際にノズル４５の重さでノズル保持部７０が回動してしまい、ノズル４５がずれたり、ノズル４５がノズル保持部７０から外れてしまう恐れがある。本実施形態はノズル保持部７０の傾倒方向が消火栓扉１８の開閉方向とは垂直方向の回動軸線方向としたことで、消火栓扉１８の開閉操作に関係なくノズル保持部７０の位置を維持することができ、またノズル４５をノズル保持部７０とノズル受け台７２で確実に保持できる。
【００７５】
図１３はホルダ部材を起立した場合の消火栓弁開閉レバーのロック状態を平面で示した説明図であり、図１４にホルダ部材を倒した場合の消火栓弁開閉レバーのロック解除状態を示している。
【００７６】
図１３において、ホルダ部材１２０の側面に回動自在に一端を軸支したロックロッド部材１３４の先端は、ノズルを保持しているホルダ部材１２０の起立状態で、操作ボックス６７の消火栓弁開閉レバー６４に設けたロック穴１４０及び操作ボックス７６の外カバー及び内カバーに設けたロック穴１４４，１４６に挿入されており、消火栓弁開閉レバー６４の動きをロックしている。ロックロッド部材１３４の先端側の扉内面にはロッド受け台１４２が設けられ、ロック穴１４０に対する位置決めと案内を行っている。
【００７７】
なお、消火栓弁開閉レバー６４に設けたロック穴１４０に相対する操作ボックス７６側のロック穴としては、外カバーにロック穴１４４を設け、内カバーにロック穴１４６を設けているが、外カバーのロック穴１４４だけであっても良い。
【００７８】
図１４に示すように、ホルダ部材１２０を扉内面に倒した場合には、ホルダ部材１２０の倒れに伴う動きによりロックロッド部材１３４が消火栓弁開閉レバー６４に設けたロック穴１４０及び操作ボックス７６の外カバー及び内カバーに設けたロック穴１４４，１４６から引き出され、消火栓開閉レバー６４のロックを解除して開閉操作を可能とする。
【００７９】
図１５はホルダ部材を起立した場合の消火栓弁開閉レバーのロック状態を側面で示した説明図であり、図１６にホルダ部材を倒した場合の消火栓弁開閉レバーのロック解除状態を示している。
【００８０】
図１５において、ホルダ部材１２０の側面に回動自在に一端を軸支したロックロッド部材１３４の先端は、ノズルを保持しているホルダ部材１２０の起立状態で、操作ボックス７６の消火栓弁開閉レバー６４に設けたロック穴１４０及び操作ボックス７６の外カバー７６ａ及び内カバー７６ｂに設けたロック穴１４４，１４６に挿入されており、消火栓弁開閉レバー６４の動きをロックしている。ロックロッド部材１３４の先端側の扉内面にはロッド受け台１４２が設けられ、ロック穴１４０に対する位置決めと案内を行っている。ロッド受け台１４２は図１２に示したノズル用の受け台７２と同様な構造であり、ロックロッド部材１３４に合わせたサイズ及び高さとしている。
【００８１】
図１６に示すように、ホルダ部材１２０を矢印Ａのように回動して扉内面に倒した場合には、ホルダ部材１２０の倒れに伴いロックロッド部材１３４は、矢印Ｂのように引き出され、消火栓弁開閉レバー６４に設けたロック穴１４０及び操作ボックス７６の外カバー７６ａ及び内カバー７６ｂに設けたロック穴１４４，１４６から抜け出し、消火栓開閉レバー６４のロックを解除して開閉操作を可能とする。
【００８２】
このようにノズルを保持したホルダ部材１２０の起立状態ではロックロッド部材１３４の先端が消火栓弁開閉レバー６４に設けたロック穴１４０及び操作ボックス７６の外カバー７６ａ及び内カバー７６ｂに設けたロック穴１４４，１４６に挿入されて消火栓弁開閉レバー６４の動きをロックしており、図３及び図４に示すように消火栓扉１８を開いて消火作業を行おうとした場合、手順を誤ってノズル４５を取り出さずに消火栓弁開閉レバー６４をハンドル７８を握って手前側となる開位置に操作しようとしてもロックロッド部材１３４によりロックされて動くことがなく、ノズル４５を消火栓扉１８側に保持した状態で放水を開始してしまう誤操作を防止することができる。
【００８３】
なお、消火栓装置の操作者が、操作方法を間違えないように、扉裏面１８ａなど操作部材の付近に操作案内銘板を貼り付け、まずノズル４５をノズル保持部７０から取り外し、その後に消火栓弁開閉レバー６４を回動するように案内する。
【００８４】
図１７はホルダ部材を起立した場合にプーリーをロックする本発明の他の実施形態を平面で示した説明図であり、図１８にホルダ部材を倒してプーリーのロックを解除した状態を示している。
【００８５】
図１７において、ノズル保持部７０は図９及び図１０に示した構成と基本的に同じであり、扉内面に固定部材１２４により固定され、ホルダ部材１２０を蝶番１２２により傾倒自在に設けている。ホルダ部材１２０の上側に位置する側面底部にはロックロッド部材１３４の端部が軸受部１３６に対する軸ピン１３８の装着で回動自在に連結されている。
【００８６】
ロックロッド部材１３４の先端は、本実施形態にあっては、操作ボックス７６内に設けたプーリー１０８の上部に位置しており、プーリー１０８の上部に起立されたロック片１４６に当接している。またロックロッド部材１３４の先端側にはロッド受け台１４２が設けられ、プーリー１０８のロック片１４６に対する外カバー及び内カバーの通し穴にたいする位置決めと案内を行っている。
【００８７】
操作ボックス７６の内部構造は図５及び図６に示したと同じであり、ハンドル７８を握って行う消火栓弁開閉レバー６４の前後方向の動きを、駆動軸９６、第１ねじ歯車１０２、アイドルねじ歯車１１４及び第２ねじ歯車１０４からなるギア機構を介してプーリー１０８に伝えて回動させている。
【００８８】
ノズルを保持するホルダ部材１２０の起立状態にあっては、ロックロッド部材１３４の先端が操作ボックス７６内のプーリー１０８に設けたロック片１４６に当接し、プーリー１０８の開方向となる左回転をロックしている。このため消火栓弁開閉レバー６４を、ハンドル７８を握って開方向（扉手前方向）に操作しようとしても、プーリー１０８の左回転がロックされていることで、ギア機構を介して連結されている消火栓弁開閉レバー６４は動くことがなく、ノズル４５を消火栓扉１８側に保持した状態で放水させてしまう誤操作を防止することができる。
【００８９】
図１８に示すように、ノズルを取り出すことによりホルダ部材１２０が扉内面に倒れた場合には、ホルダ部材１２０の倒れに伴いロックロッド部材１３４はプーリー１０８のロック片１４６から引き離され、プーリー１０８のロックが解除されることで、消火栓弁開閉レバー６４の開閉操作が可能となる。
【００９０】
なお、上記の実施形態にあっては、操作ボックス７６の側面に対し消火栓開閉レバー６４を配置し、レバー先端にハンドル７８を横向きに設けた構造を例にとっているが、操作ボックス７６の側面に設けた消火栓開閉レバー６４の先端延長上にハンドルを設けた開閉操作機構についても同様にノズル保持部７０からのロックロッド部材１３４により、ノズル保持状態でロック、ノズル取り出し状態でロック解除としても良い。
【００９１】
また消火栓開閉レバー６４のロック穴は連結する駆動軸９６に対しハンドル７８側に設けているが、駆動軸９６に対するレバー下端側にロック穴を設けても良い。
【００９２】
また、本発明の他の実施形態として、ホルダ部材１２０とプーリー１０８をリンクロッドで連結し、ホルダ部材１２０が起立したノズル保持状態では、保持しているノズル４５がストッパとなることでホルダ部材１２０及びロックロッド部材１３４を介してプーリー１８の回動をロックし、即ち消火栓弁開閉レバー６４の動きをロックし、ノズル４５を取り出した場合にロックを解除し、更に、消火栓弁開閉レバー６４の開操作に伴うプーリー１０８の動きをリンクロッドを介してホルダ部材１２０に伝えて手前に引き倒すように構成し、これによって蝶番を開閉するバネ部材１３２を省略することができる。
【００９３】
また、上記の実施形態は斜め下向きに開放する消火栓扉を例にとっているが、図１９乃至図２１に示した従来例と同様、消火栓扉を水平位置に開放する構造の消火栓装置についても、そのまま適用することができる。
【００９４】
また、上記の実施形態にあっては、筐体を消火栓側と消火器側とに分割した場合を例にとっているが、一体型の筐体構造についても、同様に適用することができる。
【００９５】
また、上記の実施形態はグリップ付きのノズルを例にとっているが、グリップなしのストレート型のノズルであっても良い。
【００９６】
また、ホース収納空間３６とバルブ収納空間３８は逆に配置されても良い。ホース収納空間３６へのホース４４の収納方向は図２のような時計周りでもよいし、図１９の従来例のような反対巻きであっても良い。
【００９７】
また、ノズル４５がホルダ部材１２０から外れた際に、ホルダ部材１２０は蝶番１２２に設けたバネ部材１３２で傾倒するようにしているが、これに限らず、ロックロッド部材１３４にバネ部材１３２を設けて、ロックロッド部材１３４を介してホルダ部材１２０を傾倒させるようにしてもよい。
【００９８】
また本発明は、その目的と利点を損なうことのない適宜の変形を含み、更に上記の実施形態に示した数値による限定は受けない。
【符号の説明】
【００９９】
１０：消火栓装置
１８：消火栓扉
４４：ホース
４５：ノズル
６４：消火栓弁開閉レバー
７０：ノズル保持部
７２：ノズル受け台
７６：操作ボックス
７８：ハンドル
９８：駆動軸
１０２：第１ねじ歯車
１０４：第２ねじ歯車
１０８：プーリー
１１４：アイドルねじ歯車
１２０：ホルダ部材
１２２：蝶番
１２４：取付部材
１２６，１２８：取付片
１３０：軸ピン
１３２：バネ部材
１３４：ロックロッド部材
１３６：軸受
１３８：軸ピン
１４０，１４４，１４６：ロック穴
１４２：ロッド受け台
【図１】
0005650020.tif 000002
【図２】
0005650020.tif 000003
【図３】
0005650020.tif 000004
【図４】
0005650020.tif 000005
【図５】
0005650020.tif 000006
【図６】
0005650020.tif 000007
【図７】
0005650020.tif 000008
【図８】
0005650020.tif 000009
【図９】
0005650020.tif 000010
【図１０】
0005650020.tif 000011
【図１１】
0005650020.tif 000012
【図１２】
0005650020.tif 000013
【図１３】
0005650020.tif 000014
【図１４】
0005650020.tif 000015
【図１５】
0005650020.tif 000016
【図１６】
0005650020.tif 000017
【図１７】
0005650020.tif 000018
【図１８】
0005650020.tif 000019
【図１９】
0005650020.tif 000020
【図２０】
0005650020.tif 000021
【図２１】
0005650020.tif 000022